(57)【要約】【課題】シャーベット状の流動体を使用する伏越管路の洗浄方法及び洗浄システムを提供すること。【解決手段】上流側管路７２と接続された上流側立坑７４と、下流側管路７６と接続された下流側立坑７８とを、前記両管路７２，７６よりも下方位置において連通接続する伏越管路８０を、前記上流側立坑７４、前記下流側立坑７８及び前記伏越管路８０に水が滞留している状態で洗浄する伏越管路８０の洗浄方法において、（Ａ）一方の立坑７８の当該立坑７８に接続された前記管路７６よりも下方の領域に密閉領域１２を形成する密閉領域形成工程；及び（Ｂ）前記密閉領域１２にシャーベット状の流動体を加圧導入し、該導入した流動体２０を前記伏越管路８０と前記一方の立坑７８との接続部８２に充満させ、前記加圧導入を連続して行って前記伏越管路８０内に前記流動体２０を他方の立坑７４に向かって送流する流動体送流工程；を含む伏越管の洗浄方法。【選択図】図３
2014094333.tif 000002
【特許請求の範囲】
【請求項１】
上流側管路と接続された上流側立坑と、下流側管路と接続された下流側立坑とを、前記両管路よりも下方位置において連通接続する伏越管路を、前記上流側立坑、前記下流側立坑及び前記伏越管路に水が滞留している状態で洗浄する伏越管路の洗浄方法において、
（Ａ）一方の立坑の当該立坑に接続された前記管路よりも下方位置に密閉用部材を設置し該密閉用部材よりも下の領域を密閉領域とする密閉領域形成工程；及び
（Ｂ）前記密閉領域にシャーベット状の流動体を加圧導入し、該導入した流動体を前記伏越管路と前記一方の立坑との接続部に充満させ、前記加圧導入を連続して行って前記伏越管路内に前記流動体を他方の立坑に向かって送流する流動体送流工程；
を含む伏越管路の洗浄方法。
【請求項２】
（Ｃ）他方の立坑側から前記滞留水及び／又は前記流動体を排出する排出工程、
を更に含む請求項１に記載の洗浄方法。
【請求項３】
前記流動体の充満は、圧縮気体を前記密閉領域内に供給することによって、前記密閉領域内の滞留水及び／又は流動体の上端位置を下方に低下させることにより行うことを特徴とする請求項１又は２に記載の洗浄方法。
【請求項４】
前記密閉用部材の下方に、膨張可能な袋体及び板体をこの順で配置し、前記膨張可能な袋体に流体を供給して該袋体を膨張させることにより前記板体を下方に移動させて前記滞留水及び／又は流動体の上端位置を下方に低下させることにより前記流動体を前記接続部に充満させることを特徴とする請求項１又は２に記載の洗浄方法。
【請求項５】
前記シャーベット状の流動体は水よりも比重が高いことを特徴とする請求項１〜４の何れか１項に記載の洗浄方法。
【請求項６】
上流側管路と接続された上流側立坑と、下流側管路と接続された下流側立坑とを、前記両管路よりも下方位置において連通接続する伏越管路を、前記上流側立坑、前記下流側立坑及び前記伏越管路に水が滞留している状態で洗浄する伏越管路の洗浄システムにおいて、
一方の立坑の当該立坑に接続された前記管路よりも下方位置に密閉用部材を設置し該密閉用部材よりも下の領域を密閉領域とする密閉領域形成手段と、
前記密閉領域にシャーベット状の流動体を加圧導入する流動体加圧導入手段と、
を有することを特徴とする伏越管路の洗浄システム。
【請求項７】
他方の立坑側から滞留水及び／又は前記流動体を排出する排出手段を更に有することを特徴とする請求項６に記載の洗浄システム。
【請求項８】
圧縮気体を前記密閉領域内に供給する圧縮気体供給手段を有することを特徴とする請求項６又は７に記載の洗浄システム。
【請求項９】
前記密閉用部材の下方に、膨張可能な袋体及び板体がこの順で配置され、
前記膨張可能な袋体に流体を供給する流体供給手段を有することを特徴とする請求項６又は７に記載の洗浄システム。
【請求項１０】
前記シャーベット状の流動体は水よりも比重が高いことを特徴とする請求項６〜９の何れか１項に記載の洗浄システム。
【発明の詳細な説明】
【技術分野】
【０００１】
本発明は、河川や地下構造物等の障害物を迂回させるための伏越管路の洗浄方法及び洗浄システムに関する。
【背景技術】
【０００２】
河川や地下構造物等の障害物がある場所に地下水路を通過させる場合、一般に伏越管路と称される地下水路が構築される。伏越管路は通常、障害物の両側に垂下方向に埋設された上流側立坑及び下流側立坑と、両者をそれぞれの底部で連通接続する伏越管路を有している。このような伏越構造では、上流側と下流側の水位差によって上流側から下流側へ水が流下するようになっている。
【０００３】
ところで、一般に下水管等の既設管は経時的に管内面に異物が付着するため一定期間毎に洗浄する必要がある。特に、伏越管路は、管路内が常に満水状態となっており、気象条件等によって伏越管路内の水流が遅くなる場合には固形物や異物が管底に沈殿して滞留するため、洗浄の必要性が大きい。
【０００４】
既設管の洗浄方法で近年注目を集めているのが、シャーベット状の流動体を使用した洗浄方法（特許文献１）である。この方法では、小さな氷粒子と水で形成されたシャーベット状の流動体を用い、この流動体を管路の入口から管路内に送り込み、管路内を流動させて管路の出口からシャーベット状の流動体を排出するものである。流動体を構成する氷粒子が管路内を流動する際に、管路内壁に付着した赤錆等の堆積物（スケール）が削り取られ、管路の洗浄が行われる。シャーベット状の流動体は氷粒子及びその氷粒子の溶解物である水のみで形成され、環境に無害であることから関心が持たれている。
【先行技術文献】
【特許文献】
【０００５】
【特許文献１】特表２００３−５１９５７１号公報
【発明の概要】
【発明が解決しようとする課題】
【０００６】
上記のような流動体を使用する洗浄方法は管路の端部又はその近傍を密栓してシャーベット状の流動体を送流する技術であるが、上述した伏越構造において、伏越管路に接続される立坑は通常のマンホールよりも数倍深く、作業者が立坑の底部まで入って密閉や洗浄に使用する部材を伏越管路端部又はその近傍に設置するのは困難である。また、流動体を使用する洗浄方法では、費用や作業性の点から、使用する流動体の量はできる限り少なく抑えることが望まれる。
【０００７】
本発明は上記事情に鑑みてなされたものであり、その目的は、シャーベット状の流動体をできる限り少ない量で使用して伏越管路を洗浄する伏越管路の洗浄方法及び洗浄システムを提供することにある。
【課題を解決するための手段】
【０００８】
上記目的を解決するため、請求項１に記載の伏越管路の洗浄方法は、
上流側管路と接続された上流側立坑と、下流側管路と接続された下流側立坑とを、前記両管路よりも下方位置において連通接続する伏越管路を、前記上流側立坑、前記下流側立坑及び前記伏越管路に水が滞留している状態で洗浄する伏越管路の洗浄方法において、
（Ａ）一方の立坑の当該立坑に接続された前記管路よりも下方位置に密閉用部材を設置し該密閉用部材よりも下の領域を密閉領域とする密閉領域形成工程；及び
（Ｂ）前記密閉領域にシャーベット状の流動体を加圧導入し、該導入した流動体を前記伏越管路と前記一方の立坑との接続部に充満させ、前記加圧導入を連続して行って前記伏越管路内に前記流動体を他方の立坑に向かって送流する流動体送流工程；を含むことを特徴とする。
【０００９】
この構成によれば、伏越管路と一方の立坑との接続部にシャーベット状の流動体を充満させ、そのまま更に流動体を加圧導入して流動体を伏越管路内で送流させることにより、伏越管路内の異物が流動体に取り込まれて除去され、伏越管路内部が洗浄される。また、密閉領域を形成するのに使用する密閉用部材は、比較的地上に近い深さにある上流側管路又は下流側管路より下方の位置に設置すればよいため、作業者が立ち入れる範囲で設置作業を行うことができる。更に、立坑内に密閉用部材を設置していることから、立坑内の全領域に流動体を導入しなくても流動体を伏越管路内で送流することができるので、使用する流動体の量を少ない量に抑えることが可能となる。
【００１０】
請求項２に記載の伏越管路の洗浄方法は、
（Ｃ）他方の立坑側から前記滞留水及び／又は前記流動体を排出する排出工程、を更に含むことを特徴とする。この構成によれば、流動体を加圧導入するのに必要な圧力が少なくなり、伏越管路内において流動体をスムーズに送流させることができる。
【００１１】
請求項３に記載の伏越管路の洗浄方法は、
前記流動体の充満は、圧縮気体を前記密閉領域内に供給することによって、前記密閉領域内の滞留水及び／又は流動体の上端位置を下方に低下させることにより行うことを特徴とする。この構成によれば、流動体が水より比重の低い場合であっても、滞留水の存在する密閉領域内において流動体を伏越管路と上記一方の立坑との接続部に充満させることができる。そして、密閉領域内において圧縮気体層が上側、流動体及び／又は滞留水層が下側となるので、地中深く埋設された立坑において密閉領域内全域に流動体を導入せずに済み、洗浄に使用する流動体の量を更に低減することが可能となる。
【００１２】
請求項４に記載の伏越管路の洗浄方法は、
前記密閉用部材の下方に、膨張可能な袋体及び板体をこの順で配置し、前記膨張可能な袋体に流体を供給して該袋体を膨張させることにより前記板体を下方に移動させて前記滞留水及び／又は流動体の上端位置を下方に低下させることにより前記流動体を前記接続部に充満させることを特徴とする。この構成によれば、請求項３の作用効果と同様に、流動体が水より比重の低い場合であっても、滞留水の存在する密閉領域内において流動体を上記接続部に充満させることができる。また、同様に密閉領域内全域に流動体を導入しなくて済むので、洗浄に使用する流動体の量を更に低減することが可能となる。
【００１３】
請求項５に記載の伏越管路の洗浄方法は、
前記シャーベット状の流動体は水よりも比重が高いことを特徴とする。この構成によれば、水が滞留している密閉領域内に流動体を導入するだけでそのまま上記接続部に流動体を充満させることができる。また、密閉領域内において滞留水層が上側、流動体層が下側となるので、地中深く埋設された立坑において密閉領域内全域に流動体を導入せずに済み、洗浄に使用する流動体の量を更に低減することが可能となる。
【００１４】
請求項６に記載の伏越管路の洗浄システムは、
上流側管路と接続された上流側立坑と、下流側管路と接続された下流側立坑とを、前記両管路よりも下方位置において連通接続する伏越管路を、前記上流側立坑、前記下流側立坑及び前記伏越管路に水が滞留している状態で洗浄する伏越管路の洗浄システムにおいて、
一方の立坑の当該立坑に接続された前記管路よりも下方位置に密閉用部材を設置し該密閉用部材よりも下の領域を密閉領域とする密閉領域形成手段と、前記密閉領域にシャーベット状の流動体を加圧導入する流動体加圧導入手段と、を有することを特徴とする。この構成によれば請求項１と同様の作用効果を得ることができる。
【００１５】
請求項７に記載の伏越管路の洗浄システムは、
他方の立坑側から滞留水及び／又は前記流動体を排出する排出手段を更に有することを特徴とする。この構成によれば請求項２と同様の作用効果を得ることができる。
【００１６】
請求項８に記載の伏越管路の洗浄システムは、
圧縮気体を前記密閉領域内に供給する圧縮気体供給手段を有することを特徴とする。この構成によれば請求項３と同様の作用効果を得ることができる。
【００１７】
請求項９に記載の伏越管路の洗浄システムは、
前記密閉用部材の下方に、膨張可能な袋体及び板体がこの順で配置され、前記膨張可能な袋体に流体を供給する流体供給手段を有することを特徴とする。この構成によれば請求項４と同様の作用効果を得ることができる。
【００１８】
請求項１０に記載の伏越管路の洗浄システムは、
前記シャーベット状の流動体は水よりも比重が高いことを特徴とする。この構成によれば請求項５と同様の作用効果を得ることができる。
【発明の効果】
【００１９】
本発明に係る伏越管路の洗浄方法及び洗浄システムによれば、地中深く埋設され作業者が立ち入れない伏越構造の管路であってもシャーベット状の流動体を使用して伏越管路内を洗浄することができる。また、本発明では、できる限り少ない量の流動体で伏越管路の洗浄が可能である。
【図面の簡単な説明】
【００２０】
【図１】密閉領域を形成する作業を示す説明図である。
【図２】第１の実施の形態で流動体を導入する様子を示す説明図である。
【図３】第１の実施の形態で流動体を送流する様子を示す説明図である。
【図４】第２の実施の形態での流動体の導入及び圧縮気体の導入の様子を示す説明図である。
【図５】第２の実施の形態で流動体を送流する様子を示す説明図である。
【図６】第３の実施の形態で流動体の導入の様子を示す説明図である。
【図７】洗浄前の伏越構造を示す説明図である。
【発明を実施するための形態】
【００２１】
以下、図面を参照して本発明を詳細に説明する。図７は本発明に係る洗浄方法を行う前の状態の下水道の伏越構造を説明する概略図である。
【００２２】
図示した伏越構造は、上流側管路７２と接続された上流側立坑７４と、下流側管路７６と接続された下流側立坑７８とを有しており、上流側立坑７４と下流側立坑７８とは、それぞれが接続する上流側管路７２及び下流側管路７６よりも下方位置で伏越管路８０によって連通接続されている。上流側立坑７４、下流側立坑７８及び伏越管路８０には下水が滞留している状態であり、伏越管路８０の内面には異物８１が付着している。事前準備として、上流側管路７２内にパッカー９０を配置して管路内を流れる水流を一時的に塞き止めている。塞き止めなくても上流側管路７２から下流側管路７６まで通じる仮流路を設けることにより、水流を止めずに本方法を実施することは可能である。
【００２３】
本発明の伏越管路の洗浄方法は以下の工程：
（Ａ）一方の立坑（下流側立坑７８）の当該立坑に接続された管路（下流側管路７６）よりも下方位置に密閉用部材を設置しその密閉用部材よりも下の領域を密閉領域とする密閉領域形成工程；及び
（Ｂ）密閉領域にシャーベット状の流動体を加圧導入し、該導入した流動体を伏越管路８０と一方の立坑（下流側立坑７８）との接続部に充満させ、加圧導入を連続して行って伏越管路８０内に流動体を他方の立坑（上流側立坑７４）に向かって送流する流動体送流工程；を含む。以下、それぞれの工程についてそれぞれ詳述する。
【００２４】
＜第１の実施の形態＞
図１は工程（Ａ）の様子を示す概略図である。工程（Ａ）では、一方の立坑である下流側立坑７８に、その立坑７８に接続された管路７６よりも下方位置に密閉用部材１４を設置しその密閉用部材１４よりも下の領域を密閉領域１２とする。
【００２５】
本実施の形態において、密閉領域１２の形成は密閉用部材１４を下流側立坑７８内において下流側管路７６よりも低い位置に設置することにより行われている。密閉用部材１４は板状部材からなり、その設置は次のようにして行われる。すなわち、下流側立坑７８の内壁に複数のステップ１６を周方向に所定間隔をおいて同じ高さ位置で打ち込む。そして、下流側立坑７８の横断面開口部とほぼ同じかやや小さい形状且つ面積を有する板状の密閉用部材１４を複数のステップ１６上に載置する。その状態で、密閉用部材１４と下流側立坑７８内面の隙間をパッキン等のシール材（図示せず）で閉塞する。次いで、密閉用部材１４上の下流側立坑７８内壁に杭等の固定部材１８を打ち込んだり、環状剛性ベルト（図示せず）を下流側立坑７８内壁の周囲に沿って嵌めることにより密閉用部材１４を固定する。これにより、密閉用部材１４よりも下の領域が密閉領域１２となる。密閉用部材１４を設置する際には必要に応じて立坑７８内に滞留している滞留水を排水してもよい。図示した例では、滞留水を排水せず水中で密閉用部材１４を設置した例を示している。
【００２６】
次に、工程（Ｂ）及び（Ｃ）について説明する。図２及び図３は、工程（Ｂ）及び（Ｃ）の様子を示している。工程（Ｂ）では、密閉領域１２にシャーベット状の流動体２０を加圧導入し、その流動体２０を伏越管路８０と下流側立坑７８との接続部８２に充満させ、更に加圧導入を連続して行って伏越管路８０内に流動体２０を上流側立坑７４に向かって送流する。また、工程（Ｃ）では、他方の立坑である上流側立坑７４側から滞留水及び／又は流動体２０を排出する。工程（Ｃ）は必要に応じて行われる。
【００２７】
本実施の形態は、水より比重が高い流動体を使用した例を示しており、排出口２６ａが伏越管路８０の下流側立坑７８端部近傍に位置するように設置された流動体導入管２６から流動体２０を導入すると、流動体２０は滞留水内で下方に沈み、伏越管路８０と下流側立坑７８との接続部８２に充満する。水より比重が高い流動体としては、水より比重が高い粒子（例えば、鉄粒子などの金属粒子やプラスチック粒子）を水と混合し、その混合物を凍らせてシャーベット状としたものや、食塩水を凍らせてシャーベット状にしたものを使用することができる。食塩水は水に食塩を混合して溶解させたものだけでなく、海水や塩湖の塩水、更に自然に存在する食塩含有液体、例えば塩分を含む地下水や温泉水等も使用することができる。この場合、これらに更に食塩を追加溶解させて濃度調整してもよい。更に、これらの自然に存在する食塩含有水（海水等）を淡水化処理する過程で生じる塩分濃度の高い濃縮排水を使用してもよい。
【００２８】
そして、本実施の形態では、上流側立坑７４内に２本の排出管２２、２４が備えられており、それぞれの下端２２ａ，２４ａの位置が上下方向に異なるように配置されている。下端が高い方の排出管２２は主に滞留水を排出し、下端が低い方の排出管２４は主に流動体２０を排出する。排出管は１本だけでもよい。
【００２９】
流動体２０を流動体導入管２６から加圧導入する導入圧により、流動体２０は伏越管路８０内を上流側立坑７４方向に移動する。流動体２０が伏越管路８０内を移動すると、伏越管路８０内の汚泥等の異物８１が流動体２０に取り込まれて除去され、伏越管路８０が洗浄される。また、工程（Ｃ）の流動体２０及び／又は滞留水の排出を行うことにより、流動体２０の導入圧が小さくなり、スムーズに伏越管路内８０を送流させることができる。排出管２２、２４による排出は、上流側立坑７４内の水位５１ができるだけ低くなるように水位センサー等を用いて制御することが好ましい。これにより、流動体２０の導入圧を低水準で維持することができ、伏越管路８０内を更に円滑に送流させることが可能となる。
【００３０】
また、流動体導入管２６の排出口２６ａ又はその近傍にはその外周面から鍔状に突出形成された鍔部（図示せず）が備えられてもよい。鍔部を設けることにより、流動体２０をできるだけ下流側立坑７８側に流れさせずに、伏越管路８０内を送流させることができ、作業効率の向上及び流動体２０の使用量低減効果が図られる。
【００３１】
本発明の伏越管路の洗浄方法では、密閉領域１２を形成するのに使用する密閉用部材１４は、比較的地上に近い深さにある下流側管路７６より下方の位置に設置すればよいため、作業者が立ち入れる範囲で設置作業を行うことができる。更に、下流側立坑７８内に密閉用部材１４を設置していることから、下流側立坑７８内の全領域に流動体２０を導入しなくても流動体２０を伏越管路８０内で送流することができるので、使用する流動体の量を少ない量に抑えることが可能となる。
【００３２】
また、本実施の形態では、下流側立坑７８内に下水が滞留した状態で密閉領域１２を形成し、その密閉領域１２内において上側が滞留水層、下側が流動体２０層となって流動体２０を送流することができるので、密閉領域１２の全領域に流動体２０を導入することなく、更により少ない量の流動体２０で伏越管路８０を洗浄可能である。
【００３３】
なお、本発明の洗浄方法において、排出された流動体２０を密閉領域１２内に再度導入しても良い。これにより流動体１２の使用量を更に低減することができる。
【００３４】
＜第２の実施の形態＞
次に、本発明の洗浄方法及び洗浄システムの第２の実施の形態を図４及び図５により説明する。本実施の形態では、水より比重が低い流動体４０を使用した例を示している。図４に示しているように、比重が水より低い流動体４０は、密閉領域１２内に導入した後、上方に浮上する。この流動体４０を、伏越管路８０と下流側立坑７８との接続部８２に充満させるため、次の作業が行われる。すなわち、密閉領域１２内に排出口４２ａが位置するように設置された圧縮気体供給管４２から圧縮空気等の圧縮気体を供給することにより密閉領域１２内に流体を導入する。流体を導入し続けると、密閉用部材１２と流動体４０（滞留水を含み得る）の上端位置４１との間の空間４４の領域が次第に大きくなり、流動体４０の上端位置４１が下方に下がる（図５参照）。これにより、伏越管路８０と下流側立坑７８との接続部８２が流動体４０で充満し、その後流動体４０は伏越管路８０内を上流側立坑７４に向かって流れ、伏越管路８０内の洗浄が行われる。
【００３５】
水より比重が低い流動体４０としては水をシャーベット状としたものを使用することができる。水をシャーベット状とした流動体を使用する場合には費用、後処理及び環境面で有利である。
【００３６】
本実施の形態においては、流動体４０の上端位置４１を、伏越管路８０の下流側立坑７８側端部の上端よりも高い位置に維持することが有利である。これにより、空間４４の空気が伏越管路８０内に流入することを阻止し、流動体８０を連続して送流することができる。これは、圧縮気体供給管４２等に水位センサーを取り付けて圧縮気体の導入量を調節制御する方法や、浮きを上端位置４１上に配置すると共にその浮きと連動する弁を圧縮気体供給管４２に取り付けて、上端位置４１が所定位置より低下すると（浮きの位置が下がると）弁が閉塞される構造を設ける方法を採用することができる。
【００３７】
本実施の形態では、下流側立坑７８内に下水が滞留した状態で密閉領域１２を形成し、その密閉領域１２内において上側が圧縮気体４４層、下側が流動体４０層となって流動体４０を送流することができるので、密閉領域１２の全領域に流動体４０を導入することなく、より少ない量の流動体４０で伏越管路８０を洗浄可能である。なお、本実施の形態において、前述したこと以外は第１の実施の形態と同様であり、その説明を省略する。
【００３８】
＜第３の実施の形態＞
次に、本発明の洗浄方法及び洗浄システムの第３の実施の形態を図６により説明する。本実施の形態も水より比重の低い流動体４０を使用した例を示しており、流動体４０は流動体導入管２６から導入した後、上方に浮上する。
【００３９】
本実施の形態において特徴的なことは、密閉用部材１４の下方に、膨張可能な袋体５２及び板体５４をこの順で配置し、流体供給管５６から膨張可能な袋体５２に液体等の流体（例えば水）を供給して袋体５２を膨張させることである。板体５４は略水平に非固定状態で配置され、板体５４の上に配置される膨張可能な袋体５２としてはゴム製の袋を使用することができる。袋体５２の膨張により、板体５４が下方に移動して流動体４０（滞留水を含み得る）の上端位置４１を下方（矢印１００方向）に低下させる。これにより、流動体４０を接続部８２に充満させ、その後伏越管路８０内を上流側立坑７４方向に向かって送流させることができる。袋体５２と板体５４は別体としても相互に結合していてもよい。
【００４０】
本実施の形態では、密閉領域内において上側が袋体に供給された流体層、下側が流動体４０層となって流動体４０を送流することができるので、密閉領域の全領域に流動体４０を導入することなく、より少ない量の流動体４０で伏越管路８０を洗浄可能である。なお、本実施の形態において、前述したこと以外は第１の実施の形態と同様であり、その説明を省略する。
【００４１】
本発明は、上流側管路と接続された上流側立坑と、下流側管路と接続された下流側立坑とを、前記両管路よりも下方位置において連通接続する伏越管路を、前記上流側立坑、前記下流側立坑及び前記伏越管路に水が滞留している状態で洗浄する伏越管路の洗浄システムにおいて、一方の立坑の当該立坑に接続された前記管路よりも下方の領域に密閉領域を形成する密閉領域形成手段と、前記密閉領域にシャーベット状の流動体を加圧導入する流動体加圧導入手段とを有する、上記伏越管路の洗浄方法に対応する伏越管路の洗浄システムも提供する。
【００４２】
密閉領域形成手段は図１に示した密閉用部材１４を有し、加圧導入手段は図２に示した流動体導入管２６及び導入ポンプ（図示せず）を有する。
【００４３】
また、本発明の洗浄システムは、他方の立坑側から滞留水及び／又は前記流動体を排出する排出手段を有していてもよい。排出手段は図２に示した排出管２２及び／又は排出管２４並びに排出ポンプ（図示せず）を有する。
【００４４】
更に、本発明の洗浄システムは、圧縮気体を前記密閉領域内に供給する圧縮気体供給手段を有していてもよい。圧縮気体供給手段は、図４に示した圧縮気体供給管４２とこれに接続されたコンプレッサー（図示せず）を有する。
【００４５】
また、本発明の洗浄システムは、図６に示すように、密閉用部材１４の下方に、膨張可能な袋体５２及び板体５４がこの順で配置され、膨張可能な袋体５２に流体を供給する流体供給手段を有していてもよい。流体供給手段は流体供給管５６及びポンプ（図示せず）を含む。
【００４６】
本発明は上述した実施の形態に限定されることはなく、発明の趣旨を逸脱しない範囲で種々の変更が可能である。上記実施の形態では下水が流れる伏越構造を例として示しているが、本発明は下水道だけでなく他の管路施設の伏越構造にも適用可能である。
【符号の説明】
【００４７】
１２  密閉領域
１４  密閉用部材
１６  ステップ
１８  固定部材
２０  流動体
２２、２４  排出管
２６  流動体導入管
４０  流動体
４２  圧縮気体供給管
４４  空間
５１  上流側立坑内水位
５２  袋体
５４  板体
５６  流体供給管
７２  上流側管路
７４  上流側立坑
７６  下流側管路
７８  下流側立坑
８０  伏越管路
８１  異物
８２  接続部
【図１】
2014094333.tif 000003
【図２】
2014094333.tif 000004
【図３】
2014094333.tif 000005
【図４】
2014094333.tif 000006
【図５】
2014094333.tif 000007
【図６】
2014094333.tif 000008
【図７】
2014094333.tif 000009